(57)【要約】【課題】収納の際には折りたたんで収納しやすく、また浴槽を閉じる際には広げやすい、使い勝手の良い風呂蓋を実現する。【解決手段】風呂蓋１は、折りたたみ自在に連結し複数に分割された蓋２ａ〜２ｄを備え、風呂蓋１は磁力の異なる二種以上の磁石１２を備えており、折りたたみ時に浴室壁１３に当接する蓋２ａには磁力の強い磁石１２が設けられ、互いに接する蓋２ｂ、２ｃに設けられた磁石１２は、蓋２ａに設けられた磁石１２よりも磁力の弱い磁石１２が設けられており、蓋２ａ〜２ｄの内部に空洞部が形成されており、この空洞部に発泡樹脂に埋め込まれて固定された磁石１２が配置されている。【選択図】図４
2017080071.tif 000002
【特許請求の範囲】
【請求項１】
複数に分割された蓋が折りたたみ可能に設けられて成る風呂蓋において、風呂蓋は磁力の異なる二種以上の磁石を備えており、折りたたみ時に壁に接する蓋には磁力の強い磁石が設けられ、蓋同士が接する蓋には壁に接する蓋に設けられた磁石よりも磁力の弱い磁石が設けられていることを特徴とする風呂蓋。
【請求項２】
請求項１に記載の風呂蓋において、蓋の内部に空洞部が形成されており、この空洞部に発泡樹脂に固定された磁石が配置されていることを特徴とする風呂蓋。
【請求項３】
請求項２に記載の風呂蓋において、風呂蓋を広げて浴槽フランジ部に載置された状態では発泡樹脂が下面に位置し、磁石が上面に位置するように配置されていることを特徴とする風呂蓋。
【請求項４】
請求項１から３のいずれかに記載の風呂蓋において、折りたたんだ時に浴槽フランジ部と接する面に脚が設けられていることを特徴とする風呂蓋。
【発明の詳細な説明】
【技術分野】
【０００１】
本発明は、風呂蓋に関し、特に折りたたみ自在な風呂蓋である。
【背景技術】
【０００２】
従来、浴槽からはずして収納する際に、折りたたんだり、巻いたりすることのできる風呂蓋は、知られている。そのような風呂蓋において、風呂蓋の異なる部分を重ねて係止するために、風呂蓋に磁石を埋め込むことは、次のとおり知られている。
【０００３】
例えば、補強板と外枠から成る複数の芯材が折り畳み可能に連結され、芯材に固着された磁石で、複数の芯材を互いに係合する浴槽用蓋が知られている（特許文献１参照）。
【０００４】
複数枚に分割された蓋部からなる風呂蓋であって、各蓋部を重ね合わせた時に互いに隣接する蓋部を連結する連結手段として、蓋部に磁石を設けた構成が知られている（特許文献２参照）。なお、この風呂蓋を、その複数の蓋部を重ねた状態で浴室壁に立て掛けて保持するために、突設基部およびフックから成る保持部を浴室壁に設けている。
【０００５】
シャッター式風呂蓋が、多数本の硬質合成樹脂製の中空棒状体が、折曲自在な連結部を介して並列状に連結され、一端から巻き込み可能に構成されており、巻き込み時において中空棒状体どうしを磁力吸着せしめる永久磁石取付けられてなる構成が知られている（特許文献３、４参照）。
【先行技術文献】
【特許文献】
【０００６】
【特許文献１】実開昭６２−１７９９０号公報
【特許文献２】特開２００９−１２５４９８号公報
【特許文献３】実開平７−３４６３号公報
【特許文献４】特開平９−１０８１３１号公報
【発明の概要】
【発明が解決しようとする課題】
【０００７】
上記のとおり、従来、収納の際に、折りたたんだり巻き込んで、その状態を磁石で保持する風呂蓋は知られているが、折りたたんだり巻き込んだ風呂蓋は、重く、ボリュームもあるので、持ち運びが困難であり、また収納場所に困るなど、取り扱いが面倒である。
【０００８】
さらに、折りたたんだ風呂蓋を、浴室壁に沿って立てかける場合は、特許文献２に示すような構成の場合には、浴室側に突設した保持部を設ける必要がある。
【０００９】
本発明は、上記従来の問題点を解決することを目的とするものであり、収納の際には折りたたみやすく収納しやすく、また使用の際には広げやすい、使い勝手の良い風呂蓋を実現することを課題とする。
【課題を解決するための手段】
【００１０】
本発明は上記課題を解決するために、複数に分割された蓋が折りたたみ可能に設けられて成る風呂蓋において、風呂蓋は磁力の異なる二種以上の磁石を備えており、折りたたみ時に壁に接する蓋には磁力の強い磁石が設けられ、蓋同士が接する蓋には壁に接する蓋に設けられた磁石よりも磁力の弱い磁石が設けられていることを特徴とする風呂蓋を提供する。
【００１１】
蓋の内部に空洞部が形成されており、この空洞部に発泡樹脂に固定された磁石が配置されていることが好ましい。
【００１２】
風呂蓋を広げて浴槽フランジ部に載置された状態では発泡樹脂が下面に位置し、磁石が上面に位置するように配置されていることが好ましい。
【００１３】
折りたたんだ時に浴槽フランジ部と接する面に脚が設けられていることが好ましい。
【発明の効果】
【００１４】
本発明の風呂蓋によると、風呂蓋を構成する互いに連結された複数の蓋に磁石が内蔵されており、風呂蓋を開けるという一連の動作と同時に、複数の蓋同士が互いに吸着されるとともに、風呂蓋が浴室壁に吸着されてくっつき、浴室壁側において浴槽フランジ上に収納されるので、折りたたんだ風呂蓋を他所に運ぶような必要がなく、収納の手間が少なくなり、収納場所にも困らない。
【００１５】
また、本発明の風呂蓋によると、複数に分割された蓋を折りたたみ自在に連結した風呂蓋において、風呂蓋は磁力の異なる二種以上の磁石を備えており、折りたたみ時に壁に接する蓋には磁力の強い磁石が設けられ、蓋同士が接する蓋には壁に接する蓋に設けられた磁石よりも磁力の弱い磁石が設けられていることで、折りたたみやすく、広げやすい風呂蓋とすることができる。
【図面の簡単な説明】
【００１６】
【図１】本発明に係る風呂蓋の実施例１を説明する斜視図である。
【図２】上記実施例１の風呂蓋の要部を説明する図であり、（ａ）、（ｂ）は蓋およびヒンジの構成を説明する図であり、（ｂ）は（ａ）のＢ−Ｂ断面図であり、（ｃ）は磁石を固定した発泡樹脂を蓋の空洞部内に挿入する状態を示す図である。
【図３】上記実施例１の風呂蓋の要部、作用を説明する図であり、（ａ）は風呂蓋を浴槽フランジに起立して収納した状態を示す斜視図であり、（ｂ）は蓋の脚の作用を説明する図である。
【図４】上記実施例１の風呂蓋の作用を説明する図であり、（ａ）は風呂蓋を浴槽上に載置して広げた使用状態を示す図であり、（ｂ）は風呂蓋を折りたたみおよび広げる状態を示す図であり、（ｃ）は風呂蓋の収納状態を説明する図である。
【図５】本発明に係る風呂蓋の実施例２の風呂蓋の構成および作用を説明する図であり、（ａ）は風呂蓋を浴槽上に載置して広げた使用状態を示す図であり、（ｂ）は風呂蓋を折りたたみおよび広げる状態を示す図であり、（ｃ）は風呂蓋の収納状態を説明する図である。
【図６】（ａ）、（ｂ）は変形例１（実施例１の変形例）を説明する図である。
【図７】（ａ）、（ｂ）は変形例２（実施例２の変形例）を説明する図である。
【発明を実施するための形態】
【００１７】
本発明に係る風呂蓋を実施するための形態を実施例に基づき図面を参照して、以下説明する。
【実施例】
【００１８】
（実施例１）
本発明に係る風呂蓋の実施例を図１〜図４において説明する。実施例１の風呂蓋１は、図１に示すように、複数の蓋２ａ〜２ｄに分割されており、複数の蓋２ａ〜２ｄにおいて隣接する蓋同士が互いに、図１および図２（ａ）、（ｂ）に示すように、ヒンジ部３で連結され、折りたたみ自在に連結して成る。
【００１９】
本実施例１では、風呂蓋１を構成する複数の蓋として４枚の蓋２ａ〜２ｄの例で説明するが、蓋の枚数は、４枚に限定されるものではなく、２枚以上であれば、浴槽４の大きさ、蓋の大きさなどに応じて、適宜決められるものである。
【００２０】
複数の蓋２ａ〜２ｄは、それぞれ樹脂を材料とした押し出し成型品が使用され、図２（ａ）〜（ｃ）に示すように、内部に、隔壁６で仕切られた複数の空洞部７が形成されている。図２（ａ）、（ｃ）は、蓋２ｄの側面を示しているが、この側面に図示はしないが、細長い側板（化粧板）が嵌着されて、実際は隔壁６および空洞部７は見えないようになっている。
【００２１】
ヒンジ部３は、互いに連結する隣接する２つ蓋のそれぞれの下面（使用時に風呂蓋１を広げた状態で下側に位置する面）又は上面に、長尺状かつ可撓性の樹脂帯片を、熱融着で貼り付けることによって、形成されている。
【００２２】
具体的には、例えば、図２（ａ）、（ｂ）、図４（ｂ）に示すように、蓋２ｃと蓋２ｄの互いに連結する端部におけるそれぞれの下面に、ヒンジ部３として樹脂帯片８が熱融着されている。
【００２３】
また、図４（ｂ）に示すように、蓋２ａと蓋２ｂについても同様に、互いに連結する端部におけるそれぞれの下面にヒンジ部３として樹脂帯片８が熱融着されており、蓋２ｂと蓋２ｃについては、互いに連結する端部におけるそれぞれの上面にヒンジ部３として樹脂帯片８が熱融着されている。
【００２４】
蓋２ａ〜２ｄは、それぞれ複数の空洞部７内に、図２（ａ）、（ｃ）に示すように、発泡樹脂１１に固定された磁石１２が配置されている。本実施例１では、磁石１２は、複数の空洞部７の１つの空洞部内に配置されている。
【００２５】
しかし、後記するように、磁石１２によって、風呂蓋１を折りたたんで収納する際に、蓋２ａが浴室壁１３にくっつき、また互いに隣接する蓋２ｂと蓋２ｃが互いにくっつくようにするが、そのような効果が生じさせるために、各蓋に設ける磁石１２は、１つでは足りない場合は、２つ以上の空洞部７内にそれぞれ磁石を配置する必要がある。
【００２６】
ところで、風呂蓋１の収納の際、浴室壁１３に当接する蓋２ａには、浴室壁１３にくっつくために磁石１２を設けることは必須である。しかし、例えば、蓋２ｂと蓋２ｃは、折りたたんで収納する際に互いに磁石１２でくっつくようにするためには、蓋２ｂと蓋２ｃの一方に磁石１２を設け、他方には磁石が吸着する鋼板などを設ける構成としても良い。
【００２７】
図２（ａ）、（ｃ）に示すように、磁石１２は矩形状であり、磁石１２を固定する発泡樹脂１１は、空洞部７の断面形状に合わせた断面外形を有し、空洞部７の長手方向の長さと略同じ長さを備えた長細いブロック形状の構成とする。発泡樹脂１１としては、発泡スチロールなどが使用される。
【００２８】
発泡樹脂１１の長手方向の略中央部の一部に、使用時に風呂蓋１を広げた状態で上面側に向くように、切り欠き１７が形成されており、この切り欠き１７内に、図２（ｃ）に示すように、磁石１２が埋め込まれて固定されている。
【００２９】
このように磁石１２を固定した発泡樹脂１１は、空洞部７内に圧入される。これにより、磁石１２は、発泡樹脂１１に固定された状態で、空洞部７内に配置され、しかも使用時に風呂蓋１を広げて浴槽フランジ部に載置された状態では、図２（ｂ）に示すように、磁石１２は上面側に位置し、発泡樹脂１１における磁石１１が固定された部分は下面側に位置するように配置されている。
【００３０】
蓋２ａ〜２ｄのそれぞれに設けられる磁石１２は、風呂蓋１における異なる場所に配置される蓋に応じて、磁力の異なる二種以上の磁石１２のいずれかが使用される。
【００３１】
本実施例１では、風呂蓋１は、後記するが、折りたたまれて起立状態となり、浴室壁１３に当接しくっついて収納されるが、複数の蓋２ａ〜２ｄのうち、図４（ａ）〜（ｃ）において右端に配置されており、折りたたみ時に浴室壁１３に当接する蓋２ａに設けられた磁石１２は、磁力の強い磁石が使用される。          
【００３２】
互いに隣接した蓋２ｂ、２ｃは、折りたたみ時に互いに当接してくっつくが、そのために蓋２ｂ、２ｃにそれぞれ設けられた磁石１２は、浴室壁１３に当接する蓋２ａに設けられた磁石１２より磁力の弱い磁石が設けられている。ここで、磁力の強い磁石としてはネオジウム磁石があり、磁力の弱い磁石としてはフェライト磁石がある。
【００３３】
図４（ａ）〜（ｃ）において左端に配置された蓋２ｄには、磁力の強い磁石１２が設けられていることが好ましい。その理由は、図４（ａ）〜（ｃ）において、仮に左側に位置する浴室壁（図示せず）に向けて風呂蓋１を折りたたんでいくと、左端に配置された蓋２ｄは、強い磁力で左側に位置する浴室壁にくっつくことが可能となる。
【００３４】
さらに別の理由としては、図４（ａ）〜（ｃ）において左端に配置された蓋２ｄが、右側の浴室壁１３に当接するように、風呂蓋１の向きを左右入れ替えて使用することも可能となる。
【００３５】
なお、この風呂蓋１を使用する場合は、後記するが、図４（ｂ）に示すように、風呂蓋１を折りたたんで、図４（ｃ）に示すように、浴室壁１３に沿って起立状態として収納するが、その収納の際に、浴室壁１３に蓋２ａに設けられた磁石１２が吸着するように、浴室壁１３は、従来から通常使用されている鋼板壁とする。
【００３６】
浴室壁１３を鋼板壁ではなく、樹脂壁とした場合は、図示はしないが、風呂蓋１を折りたたんだ際に、蓋２ａの磁石１２に対応する樹脂壁における部分に、磁石１２が吸着する鋼板などの部材を設ければよい。
【００３７】
図３（ａ）、（ｂ）に示すように、風呂蓋１は、折りたたんでいくと、浴槽フランジ部１８上で起立した状態となるが、その状態で、浴室壁１３に接する蓋２ａおよび浴室壁１３から遠い側の蓋２ｄにおける浴槽フランジ部１８に載置される面に、それぞれ突起状の脚２１が設けられている。
【００３８】
（作用）
以上の構成からなる風呂蓋１の作用を、以下説明する。風呂蓋１を使用する場合は、風呂蓋１を、図４（ａ）に示すように、浴槽フランジ部１８上に平らになるように広げて載置することで、風呂蓋１を閉じる（風呂蓋１で浴槽４を閉じる）ことができる。  
【００３９】
風呂蓋１を開く（風呂蓋１を取り外して浴槽４を開く）場合は、図１および図４（ｂ）の右向き矢印に示すように、風呂蓋１を折りたたむ。風呂蓋１を折りたたむと、図３（ａ）、図４（ｃ）に示すように、複数の蓋２ａ〜２ｄは起立して互いに当接し、蓋２ｂと蓋２ｃは、それぞれに設けられている磁石１２によって互いにくっつく。
【００４０】
なお、蓋２ｂおよび蓋２ｃに設けた磁石１２は、それぞれその強さにもよるが、蓋２ｂに設けた磁石１２は、蓋２ａに設けた磁石１２と作用して蓋２ｂと蓋２ａがくっつき、蓋２ｃに設けた磁石１２は、蓋２ｄに設けた磁石１２と作用して蓋２ｃと蓋２ｄがくっつくという効果も生じる。
【００４１】
さらに、浴室壁１３に当接した蓋２ａは、その磁石１２が、鋼板壁から成る浴室壁１３に吸着される。その結果、複数の蓋２ａ〜２ｄから成る風呂蓋１は、浴室壁１３に沿って起立するとともに、浴室壁１３にくっついて保持され、収納することができる。
【００４２】
図４（ｃ）に示す起立状態で収納されている風呂蓋１を閉じる際には、図４（ｂ）の左向き矢印に示すように、蓋２ｂと蓋２ｃにそれぞれ設けられた磁石１２の磁力に抗して、蓋２ｂと蓋２ｃの吸着を解除して広げていき、さらに蓋２ａを、その磁石１２の磁力に抗して浴室壁１３から離し、風呂蓋１全体、即ち蓋２ａ〜２ｄを浴槽４の上で平らになるよう広げればよい。
【００４３】
ところで、本発明の風呂蓋１を構成する複数の蓋２ａ〜２ｄのうち、折りたたみ時に浴室壁１３に接する蓋２ａに設けられた磁石１２は、蓋２ｂと蓋２ｃにそれぞれ設けられた磁石１２より、磁力の強い磁石１２が設けられている。
【００４４】
そのために、起立状態で収納されている風呂蓋１は、より強力に浴室壁１３に吸着されているので、風呂蓋１全体が、外力（例えば人が触れたり地震による揺れなど）によって、浴室壁１３から離れて倒れたり、傾斜したりするようなことを抑えることができる。
【００４５】
また、蓋２ｂと蓋２ｃ間の吸着力は、蓋２ａの浴室壁１３への吸着力より弱いので、風呂蓋１を広げて閉じる際に、風呂蓋１の一端、即ち浴室壁１３側の蓋２ａが浴室壁１３に吸着した状態で、蓋２ｂ〜２ｃを、強い力を要することなく、１枚づつ広げることができるので、作業がし易い。
【００４６】
本発明の風呂蓋１によると、風呂蓋１の蓋２ａ〜２ｄに、それぞれ磁石１２が設けられており、風呂蓋１を開けるという一連の動作に伴い、蓋２ｂと蓋２ｃが互いに吸着されてくっつき、さらに、風呂蓋１が浴室壁１３に吸着されてくっついて、浴室壁１３側において浴槽フランジ部４上に収納されるので、折りたたんだ風呂蓋１を、どこか別の場所に運ぶような必要がなく、収納の手間が少なくなり、また収納場所にも困らない。
【００４７】
風呂蓋１を折りたたんで起立状態として収納した時に、浴室壁１３に当接する蓋２ａと浴室壁１３から最も離れた側の蓋２ｄは、それぞれ脚２１を介して浴槽フランジ部１８に載置されるので、浴槽フランジ部１８と接する面積が少なくなり、蓋２ａ、２ｄが浴槽フランジ部１８にびったりと当接する場合に比べ、汚れを抑えることができる。
【００４８】
例えば、蓋２ｄの表面に付着した水１９は、図３（ｂ）に示すように、浴槽フランジ部１８の表面に流れ落ち、図３（ａ）、（ｂ）に示すように脚２１を介することで生じる蓋２ｄと浴槽フランジ部１８の隙間２２を通過して、浴槽フランジ部１８の表面（通常、浴槽内に向けて下方になるように傾斜して形成されている）から浴槽４内に流れ落ち、浴槽フランジ部１８の表面に水垢などの汚れが残るようなことが少なくなり、清潔である。
【００４９】
蓋２ａ〜２ｄにそれぞれ設けられた磁石１２は、発泡樹脂１１内に埋め込まれて固定されているので、磁石１２に対する水密性が高くなり、磁石１２の腐食を抑えることができる。
【００５０】
（実施例２）
本発明に係る風呂蓋の実施例２について、図５（ａ）〜（ｃ）において説明する。この実施例２の風呂蓋３０は、実施例１の風呂蓋１と略同じであるので、異なる構成を中心に説明する。実施例２の風呂蓋３０は、実施例１の風呂蓋１と同様に４枚の蓋２ａ〜２ｄから成る。 
【００５１】
４枚の蓋２ａ〜２ｄは、それぞれ実施例１の蓋２ａ〜２ｄと同じ構成であり、複数の空洞部７を備え、複数の空洞部７の一部には、磁石１２が発泡樹脂１１で固定されて設けられている。そして、折りたたみ時に浴室壁１３に当接する蓋２ａに設けられた磁石１２は、蓋２ｂ、２ｃに設けられた磁石１２よりも磁力が強い。
【００５２】
この実施例２の風呂蓋３０では、図５（ｂ）に示すように、４枚の蓋２ａ〜２ｄのうち、互いに隣接する蓋２ａと蓋２ｂがヒンジ部３で連結されて成る２枚の一組の第１の連結蓋３１を形成し、互いに隣接する蓋２ｃと蓋２ｄがヒンジ部３で連結されて成る２枚一組の第２の連結蓋３２を形成している。実施例２の風呂蓋３０は、２組の連結蓋３１、３２を備えている。
【００５３】
このように２組の連結蓋を備えた構成は、実施例１の風呂蓋１と同じである。しかしながら、実施例１とは異なり、蓋２ｂと蓋２ｃは連結されていない。要するに、実施例２の風呂蓋３０では、第１の連結蓋３１と第２の連結蓋３２は、互いに連結されていない。
【００５４】
実施例２の風呂蓋３０を図５（ａ）に示す使用している状態から、図５（ｃ）に示す浴槽フランジ部１８上に収納する際には、図５（ｂ）において右向き矢印に示すように、第１の連結蓋３１および第２の連結蓋３２をそれぞれ折りたたんんで、図５（ｃ）に示すように、浴槽フランジ部１８上に起立状態とする。
【００５５】
この状態では、蓋２ｂの磁石と蓋２ｃの磁石が互いに吸着されることで、第１の連結蓋３１と第２の連結蓋３２は、それぞれ折りたたまれた状態で、互いにくっついている。また、第１の連結蓋３１の浴室壁１３に当接する蓋２ａは、蓋２ｂ、蓋２ｃの磁石１２より強い磁力によって浴室壁１３にくっついている。従って、このように収納された状態の風呂蓋３０は、外力が作用しても倒れにくくなり、浴槽フランジ部１８上での起立状態を維持して収納することが可能となる。
【００５６】
図５（ｃ）に示すように、浴槽フランジ部１８上に起立状態で収納されている風呂蓋３０を閉じる際には、まず、第２の連結蓋３２の蓋２ｃ、２ｄを、図５（ｂ）の左向き矢印に示すように引き出し、蓋２ｂと蓋２ｃとの吸着を解除して、浴槽４の上で平らになるよう広げ、さらに、第１の連結蓋３１の蓋２ａ、２ｂも同様に浴槽４の上で平らになるよう広げればよい。
【００５７】
（変形例１）
実施例１の変形例を、変形例１として図６（ａ）、（ｂ）で説明する。変形例１の風呂蓋４０は、互いにヒンジ部３で連結された３枚の蓋２ａ〜２ｃから成る。
【００５８】
３枚の蓋２ａ〜２ｃは、それぞれ実施例１の蓋２ａ〜２ｃと同じ構成であり、複数の空洞部７を備えており、複数の空洞部７の一部には、発泡樹脂１１で固定された磁石１２が設けられている。
【００５９】
浴室壁１３に当接する蓋２ａに設けられた磁石１２は、隣接し、折りたたみ時に互いに当接する蓋２ａ、２ｂにそれぞれ設けられた磁石１２より磁力の強い磁石１２が設けられている。                                                      
【００６０】
変形例１の風呂蓋４０の作用は、実施例１の風呂蓋１と同じであり、風呂蓋４０を浴槽４の上に広げて、浴槽４を風呂蓋４０で閉じた状態から風呂蓋４０を開いて収納する場合は、次のように行う。
【００６１】
即ち、図６（ａ）の右向き矢印に示すように、蓋２ａ〜２ｃを折りたたんで、蓋２ｂと蓋２ｃを磁石１２でくっつけて、図６（ｂ）に示すように、浴室壁１３に沿って浴槽フランジ部１８上に立てかけ、浴室壁１３に当接する蓋２ａを、磁石１２によって、浴室壁１３にくっつけて起立状態を保持して収納する。
【００６２】
図６（ｂ）に示すように起立し収納されている状態から、風呂蓋４０で浴槽４を閉じる際には、蓋２ａが浴室壁１３にくっついた状態で、蓋２ｂ、２ｃを広げていき、さらに蓋２ａを浴室壁１３への吸着から離して、図６（ａ）の左向き矢印に示すように、蓋２ａ〜２ｃを広げていく。
【００６３】
（変形例２）
実施例２の変形例を、変形例２として図７（ａ）、（ｂ）で説明する。変形例２の風呂蓋５０は、３枚の蓋２ａ〜２ｃを有し、具体的には、互いにヒンジ部３で連結された蓋２ａ、２ｂの２枚一組から成る連結蓋５１と、この連結蓋５１とは連結されておらず独立した１枚の蓋２ｃから成る。
【００６４】
３枚の蓋２ａ〜２ｃは、それぞれ実施例１の蓋２ａ〜２ｃと同じ構成であり、複数の空洞部７を備えており、複数の空洞部７の一部には、発泡樹脂１１で固定された磁石１２が設けられている。浴室壁１３に当接する蓋２ａに設けられた磁石１２は、連結蓋５１の蓋２ｂ及び独立した蓋２ｃにそれぞれ設けられた磁石１２よりも磁力が強い。
【００６５】
その作用は、実施例２の風呂蓋３０と同じであり、風呂蓋５０を浴槽４の上に広げて、浴槽４を風呂蓋５０で閉じた状態（図示せず）から風呂蓋５０を開いて収納する場合は、次のように行う。
【００６６】
即ち、図７（ａ）の右向き矢印に示すように、蓋２ａ〜２ｃを折りたたんで、蓋２ｂと蓋２ｃを磁石１２でくっつけて、図７（ｂ）に示すように、浴室壁１３に沿って浴槽フランジ部１８上に立てかけ、浴室壁１３に当接する蓋２ａを、磁石１２によって、浴室壁１３にくっつけて起立状態を保持して収納する。
【００６７】
図７（ｂ）に示すように起立し収納されている状態から、風呂蓋５０で浴槽４を閉じる際には、蓋２ａが浴室壁１３にくっついた状態で、蓋２ｃを浴槽４上に平らにするとともに、蓋２ａ、２ｂを広げていき、さらに蓋２ａを浴室壁１３への吸着から離して、図７（ａ）の左向き矢印に示すように、蓋２ａ、２ｂを広げていく。
【００６８】
以上、本発明に係る風呂蓋を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６９】
本発明に係る風呂蓋は上記のように折りたたみ可能な構成であるから、小さな浴槽だけでなく、比較的大きな浴槽の浴槽蓋としても適用可能である。
【符号の説明】
【００７０】
１、３０、４０、５０  風呂蓋
２ａ〜２ｄ  蓋
３  ヒンジ部
４  浴槽
６  隔壁
７  空洞部
８  ヒンジ部用の樹脂帯片
１１  発泡樹脂
１２  磁石
１３  浴室壁
１７  発泡樹脂の切り欠き
１８  浴槽フランジ部
１９  水
２１  脚
２２  蓋と浴槽フランジ部の隙間
３１  第１の連結蓋
３２  第２の連結蓋
５１  連結蓋
【図１】
2017080071.tif 000003
【図２】
2017080071.tif 000004
【図３】
2017080071.tif 000005
【図４】
2017080071.tif 000006
【図５】
2017080071.tif 000007
【図６】
2017080071.tif 000008
【図７】
2017080071.tif 000009